(57)【特許請求の範囲】
【請求項１】
薄型ディスプレイ用前面筐体と薄型ディスプレイ用金属性リアカバーの間に金属製のスピーカボックス用背面蓋を設置し、さらにこのスピーカボックス用背面蓋を薄型ディスプレイ前面に配置する導電性透明膜を貼り付けた電磁波吸収フィルター付のガラスと薄型ディスプレイ用金属性リアカバーのそれぞれの面に面で接触するように形成した、多段Ｌ型金具を設けたことを特徴するスピーカボックス構造。
【請求項２】
請求項１記載のスピーカボックスの背面蓋に、スピーカボックス部の背面にフランジ構造を設けることを特徴としたスピーカボックス構造。
【請求項３】
請求項１記載のスピーカボックスの背面蓋にスポンジを配置し、薄型ディスプレイ前面筐体に段つきリブを設けることを特徴としたスピーカボックス構造。
【発明の詳細な説明】
【技術分野】
【０００１】
本発明は、スピーカボックスの密閉と薄型ディスプレイの電磁シールドを兼ね備えた薄型ディスプレイ用スピーカボックス構造に関するものである。
【背景技術】
【０００２】
従来の薄型ディスプレイ用スピーカボックス構造としては、薄型ディスプレイユニットを、導電性透明膜を貼り付けた電磁波吸収フィルター付のガラスを組み込んだ樹脂製の前面筐体と、金属製の導電体リアカバーで電気的に接続し、スピーカ部や信号系の回路はその外側にほぼ別構造で取り付けられていた（例えば、特許文献１参照）。図１０は、特許文献１に記載された従来の薄型ディスプレイの構成図を示すものである。
【０００３】
図１０において、駆動系回路１を含む薄型ディスプレイユニット２を、導電性透明膜を貼り付けた電磁波吸収フィルター付のガラスを組み込んだ樹脂製の前面筐体３と、金属製の導電体リアカバー４で電気的に接続し、スピーカ５と信号系回路６は薄型ディスプレイユニット２より下の前面筐体３に配置され、樹脂製のスピーカ部背面カバー７で構成されていた。
【特許文献１】特開２００５−２４８７５号公報（第１頁、図２）
【発明の開示】
【発明が解決しようとする課題】
【０００４】
しかしながら、図１０の構成では例えば導電性透明膜を貼り付けた電磁フィルター付のガラスの厚みを３ｍｍ程度に抑えても重さは２ｋｇ以上もあり、これを樹脂製の前面筐体に両面テープや接着で保持することは難しく、現在の接着技術力ではコスト力も量産性も悪い。同様に前面筐体３に、ガラスより重い薄型ディスプレイユニット２を固定することも容易ではないことが想像できる。そこで、図１０を実現するには通常図８、図９に示すような構成が一般的である。図８は、従来の薄型ディスプレイの分解斜視図であり、図９はその図８の従来の薄型ディスプレイの組み立て後の断面図である。この構成では、薄型ディスプレイユニット２から周囲にフランジを張り出し、このフランジから、導電性透明膜を貼り付けた電磁波吸収フィルター付のガラス８と接触する金属製のガラス押さえ金具９や、金属製の導電体リアカバー４と接触するボス１０を設けることで、電気的接続を可能としている。
【０００５】
この構成では、ボス１０とボス１０の間隔が広いと、その隙間から薄型ディスプレイユニット２から発するＥＭＣ（電気的ノイズや不要輻射）がもれてしまうため、ボス１０の間隔をなるべく狭くする必要があり、そのため非常に多くのボス１０を設ける必要が生じ、前面筐体３に構成した受け側ボス１３や、ビス１４が多数必要となり生産性が悪いという問題がある。
【０００６】
また、図１０に示すような樹脂製のスピーカ部背面カバー７がなくても、図８、図９に示すように金属製リアカバー４の側面部を延長することでも容易に構成できるが、金属製リアカバー４は樹脂に比べ重いため、樹脂カバーの半分以下の肉厚で設定されることが多く、金属性リアカバーの外観美を損なわずにスピーカ背面カバーとしての強度を向上することが困難であるという、問題があった。
【０００７】
さらに、図８、図９に示すように、前面筐体３と金属性リアカバー４の間の隙間を埋めるため、エアー漏れ防止用スポンジ１２を配置するのだが、圧着するとエアー漏れ防止用スポンジ１２の一部が外観からはみ出てしまうという問題があった。
【０００８】
本発明は、前記従来の課題を解決するもので、薄型ディスプレイのＥＭＣ（電気的ノイズや不要輻射）シールドと、外観を損なわずにスピーカボックスの背面蓋強度や密閉度を向上できる、薄型ディスプレイ用スピーカボックス構造を提供することを目的とする。
【課題を解決するための手段】
【０００９】
前記従来の課題を解決するために、本発明の薄型ディスプレイ用スピーカボックス構造は、薄型ディスプレイ用前面筐体と金属性リアカバーの間に金属製のスピーカボックス用背面蓋を設置し、さらにこのスピーカボックス用背面蓋を薄型ディスプレイ前面に配置する導電性透明膜を貼り付けた電磁波吸収フィルター付のガラスと薄型ディスプレイ用金属性リアカバーのそれぞれの面に面で接触するように形成した、多段Ｌ型金具を設ける。
【００１０】
本構成によって、スピーカ背面蓋がガラス押さえ金具も共用でき、薄型ディスプレイのボスの数を減らし、ＥＭＣ（電気的ノイズや不要輻射）シールド力を強化できる。
【発明の効果】
【００１１】
本発明により、薄型ディスプレイのボスの数を減らしながら、ＥＭＣ（電気的ノイズや不要輻射）シールド力を強化し、さらにスピーカボックスの背面蓋強度や密閉度をおのおの自由に強化できる。
【発明を実施するための最良の形態】
【００１２】
以下本発明の実施の形態について、図面を参照しながら説明する。
【００１３】
（実施の形態１）
図１は、本発明の実施の形態１における薄型ディスプレイ用スピーカボックス構造の断面図である。また、図２は実施の形態１における薄型ディスプレイの分解斜視図である。図１および図２において、図８と同じ構成要素については同じ符号を用い、説明を省略する。
【００１４】
図１において、薄型ディスプレイ用前面筐体３と薄型ディスプレイ用金属性リアカバー４の間に金属製のスピーカボックス用背面蓋１５を設置し、さらにこのスピーカボックス用背面蓋１５を薄型ディスプレイ前面に配置する導電性透明膜を貼り付けた電磁波吸収フィルター付のガラス８と薄型ディスプレイ用金属性リアカバー４のそれぞれの面に面接触するように形成した、多段Ｌ型金具を設けた構成である。
【００１５】
かかる構成によれば、スピーカボックスの背面蓋１５が、薄型ディスプレイ前面に配置する導電性透明膜を貼り付けた電磁波吸収フィルター付のガラス８のほぼ全側面と薄型ディスプレイ用金属性リアカバー４のほぼ全側面に接するように構成されるため、ＥＭＣ（電気的ノイズや不要輻射）が漏れる隙間がほとんどなく、薄型ディスプレイパネル全側面を覆いかぶせたような構造が容易に構成できる。これにより金属ボス１０をなくすことができるだけでなく、前面筐体３から形成される樹脂ボス１３の数を強度に必要な分だけに減らすことができるため、組み立て部品と工数が減少し生産性が向上する。
【００１６】
また、従来の構造に比べスピーカ背面板が２重構造となるため、低域の音響特性も向上する。図３に本実施の形態１における音響特性図を示す。図３に示されている実線が本実施の形態１のスピーカボックス構造における音響特性で、破線が従来のスピーカボックス構造の音響特性である。
【００１７】
なお、本実施の形態１において、スピーカボックスの背面蓋１５の厚みを厚くすることによって、なおスピーカ音響特性をより向上させることができる。
【００１８】
（実施の形態２）
図４は、本発明の実施形態２における薄型ディスプレイ用スピーカボックス構造の断面図である。図１および図８、図９、図１０と同じ構成要素については、同じ符号を用い、説明を省略する。
【００１９】
図４において、スピーカボックスの背面蓋１５に、スピーカボックス部の背面にフランジ構造１６を設けることを特徴としたスピーカボックス構造である。
【００２０】
かかる構成によれば、長手方向に長いスピーカ背面構造の場合、単なる平板のままでは、スピーカボックスの背面蓋１５自身が共振してしまう。そこで、簡単なフランジ構造を設けることで、１ｍｍ以下の薄い平板でも共振しにくくなる。図５は、従来構造との音響特性の差を示したもので、従来特性の破線に比べ新構造の実線は、平坦な特性になっていることがわかる。これにより、外観を損なわずに音響特性を向上することができる。
【００２１】
（実施の形態３）
図６は、本発明の実施形態３における薄型ディスプレイ用スピーカボックス構造の断面図である。図１、図４および図８、図９、図１０と同じ構成要素については、同じ符号を用い、説明を省略する。
【００２２】
図６においてスピーカボックスの背面蓋１５にスポンジ１２を配置し、薄型ディスプレイ前面筐体３に段付リブ１７を設けることを特徴としたスピーカボックス構造である。
【００２３】
かかる構成によれば、薄型ディスプレイ前面筐体３に段付リブ１７を設けることで、スピーカボックスの背面蓋１５に設置したスポンジ１２を圧着させて、スポンジ１２がはみ出しても、薄型ディスプレイ用金属性リアカバー４がさらに上からかぶさるため、スポンジ１２が外装からはみ出すことがない構造が構成できた。さらに、音響的にも空気の通り道が９０度変化するので遮断されやすく、密閉度の向上が可能となった。図７は、従来構造との音響特性の差を示しており、従来特性の破線に比べ新構造の実線は、明らかに低音の表示される周波数自身が低いところに移動しているのがわかる。
【００２４】
なお、実施の形態において、実施の形態２と融合することにもより、音響性能をより一層向上できることは言うもでもない。
【産業上の利用可能性】
【００２５】
本発明にかかるスピーカボックス付薄型ディスプレイ構造は、映像と音を有し、映像音響機器等として有用である。
【図面の簡単な説明】
【００２６】
【図１】本発明の実施の形態１における薄型ディスプレイ用スピーカボックス構造の断面図
【図２】本発明の実施の形態１におけるスピーカボックス付薄型ディスプレイの分解斜視図
【図３】本発明の実施の形態１における薄型ディスプレイ用スピーカボックスの音響特性図
【図４】本発明の実施の形態２における薄型ディスプレイ用スピーカボックス構造の断面図
【図５】本発明の実施の形態２における薄型ディスプレイ用スピーカボックスの音響特性図
【図６】本発明の実施の形態３における薄型ディスプレイ用スピーカボックス構造の断面図
【図７】本発明の実施の形態３における薄型ディスプレイ用スピーカボックスの音響特性図
【図８】従来のスピーカボックス付薄型ディスプレイの分解斜視図
【図９】従来のスピーカボックス付ディスプレイ用スピーカボックス構造の断面図
【図１０】従来のスピーカボックス付薄型ディスプレイの分解斜視図
【符号の説明】
【００２７】
１    駆動系回路
２    薄型ディスプレイユニット
３    樹脂製の前面筐体
４    金属製の導電体リアカバー
５    スピーカ
６    信号系回路
７    樹脂製スピーカ背面カバー
８    導電性透明膜を貼り付けた電磁波吸収フィルター付のガラス
９    金属製のガラス押さえ金具
１０    金属ボス
１１    スピーカボックス部
１２    エアー漏れ防止用スポンジ
１３    樹脂ボス
１４    ビス
１５    スピーカボックス用背面蓋
１６    フランジ構造
１７    段付リブ
【図１】
0004631786.tif 000002
【図２】
0004631786.tif 000003
【図３】
0004631786.tif 000004
【図４】
0004631786.tif 000005
【図５】
0004631786.tif 000006
【図６】
0004631786.tif 000007
【図７】
0004631786.tif 000008
【図８】
0004631786.tif 000009
【図９】
0004631786.tif 000010
【図１０】
0004631786.tif 000011